【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
略板状とされた２つの圧電素子が補強板を介して積層されて構成され、
前記圧電素子および補強板による積層体の積層方向両端側における積層体表面部と積層体裏面部とはそれぞれ、電極が形成された電極平面部とされ、
前記電極平面部の一方と前記各圧電素子それぞれの圧電素子側面部と前記電極平面部の他方とを含む前記積層体の体表面部には、前記各電極平面部における前記電極同士を互いに電気的に接続する導通部が配置されており、
前記導通部は、常温では液状であり導電性粒子を含有した液状物を前記体表面部に設けた後、当該液状物を常温より高い温度で乾燥固化させることにより前記導電性粒子を相互接触させて形成されている
ことを特徴とする振動体。
【請求項２】
略板状とされ表面部および裏面部にそれぞれ電極が形成される圧電素子を備え、
前記表面部および前記裏面部のいずれかにおける一部には、部分電極が形成され、
前記部分電極とこの部分電極が形成された側とは反対側に形成された前記電極とを圧電素子側面部を介して互いに電気的に接続する導通部が配置されており、
前記導通部は、前記互いに導通される前記部分電極および前記電極がそれぞれ形成された電極平面部と前記圧電素子側面部とを含む前記圧電素子の体表面部に、常温では液状であり導電性粒子を含有した液状物を設けた後、当該液状物を常温より高い温度で乾燥固化させることにより前記導電性粒子を相互接触させて形成される
ことを特徴とする振動体。
【請求項３】
請求項１に記載の振動体において、
前記２つの圧電素子の間に介装される補強板は導電性の補強板であり、
前記体表面部は、補強板側面部を含み、
前記導通部と前記補強板側面部との間には、絶縁層が介装されている
ことを特徴とする振動体。
【請求項４】
請求項３に記載の振動体において、
前記絶縁層は、常温では液状である絶縁体を前記補強板側面部に設けた後、当該絶縁体を常温より高い温度で乾燥固化させることにより形成されている
ことを特徴とする振動体。
【請求項５】
請求項４に記載の振動体において、
前記補強板側面部には、前記積層方向と交差する方向に窪んだ凹部が形成されている
ことを特徴とする振動体。
【請求項６】
請求項４に記載の振動体において、
前記電極平面部と前記圧電素子側面部との間の角部には、断面略Ｌ字入隅状の段差部が形成されている
ことを特徴とする振動体。
【請求項７】
請求項４に記載の振動体において、
前記電極平面部と前記圧電素子側面部との間の角部は、前記圧電素子の厚み方向に対して斜めに面取りされている
ことを特徴とする振動体。
【請求項８】
請求項１に記載の振動体において、 
前記２つの圧電素子の間に介装される補強板は絶縁性の補強板であり、
前記体表面部は、補強板側面部を含んでいる
ことを特徴とする振動体。
【請求項９】
請求項１または請求項２に記載の振動体において、
前記圧電素子において前記電極が形成される前記電極平面部と前記圧電素子を保持する補強板の表面部とに亘る前記振動体の体表面部には、前記電極を前記圧電素子の外部に電気的に接続する導通部が配置されており、
前記導通部は、常温では液状であり導電性粒子を含有した液状物を前記体表面部に設けた後、当該液状物を常温より高い温度で乾燥固化させることにより前記導電性粒子を相互接触させて形成されている
ことを特徴とする振動体。
【請求項１０】
請求項１から９のいずれかに記載の振動体を備え、
前記振動体の振動を被駆動体に伝達することにより当該被駆動体を駆動する
ことを特徴とする圧電アクチュエータ。
【請求項１１】
請求項１、請求項３から９のいずれかに記載の振動体を備え、
前記振動体の振動を被駆動体に伝達することにより当該被駆動体を駆動する圧電アクチュエータであって、
前記補強板の側面部には、前記被駆動体に向かって突出する突起が形成され、
前記突起が形成された側とは反対側の前記補強板の側面部には、当該側面部と前記導通部との間に、絶縁性のモールド部材が設けられている
ことを特徴とする圧電アクチュエータ。
【請求項１２】
請求項１から９のいずれかに記載の振動体、または、請求項１０、１１のいずれかに記載の圧電アクチュエータを備えた
ことを特徴とする電子機器。
【請求項１３】
請求項１２に記載の電子機器は、
計時部と、この計時部で計時された情報を表示する計時情報表示部とを備えた時計である
ことを特徴とする電子機器。
【請求項１４】
振動体を構成する略板状の２つの圧電素子に電極をそれぞれ形成する電極形成工程と、
２つの前記圧電素子を補強板を介して積層し、前記圧電素子および補強板による積層体の積層方向両端側における積層体表面部と積層体裏面部とを、それぞれ前記電極が形成された電極平面部とする積層工程と、
常温では液状であり導電性粒子を含有した液状物を、前記電極平面部の一方と前記各圧電素子それぞれの圧電素子側面部と前記電極平面部の他方とを含む前記積層体の体表面部に設けた後、当該液状物を常温より高い温度で乾燥固化させることにより前記導電性粒子を相互接触させて、前記各電極平面部における前記電極同士を電気的に接続する導通部を形成する導通部形成工程とを備える
ことを特徴とする振動体の製造方法。
【請求項１５】
請求項１４に記載の振動体の製造方法において、
前記導通部形成工程では、前記液状物としてのインクを前記体表面部に噴射することによって前記導通部を形成する
ことを特徴とする振動体の製造方法。
【手続補正２】
【補正対象書類名】明細書
【補正対象項目名】００１２
【補正方法】変更
【補正の内容】
【００１２】
本件の第１発明の振動体は、略板状とされた２つの圧電素子が補強板を介して積層されて構成され、前記圧電素子および補強板による積層体の積層方向両端側における積層体表面部と積層体裏面部とはそれぞれ、電極が形成された電極平面部とされ、前記電極平面部の一方と前記各圧電素子それぞれの圧電素子側面部と前記電極平面部の他方とを含む前記積層体の体表面部には、前記各電極平面部における前記電極同士を互いに電気的に接続する導通部が配置されており、前記導通部は、常温では液状であり導電性粒子を含有した液状物を前記体表面部に設けた後、当該液状物を常温より高い温度で乾燥固化させることにより前記導電性粒子を相互接触させて形成されていることを特徴とする。
【手続補正３】
【補正対象書類名】明細書
【補正対象項目名】００１３
【補正方法】変更
【補正の内容】
【００１３】
また、本件の第２発明の振動体は、略板状とされ表面部および裏面部にそれぞれ電極が形成される圧電素子を備え、前記表面部および前記裏面部のいずれかにおける一部には、部分電極が形成され、前記部分電極とこの部分電極が形成された側とは反対側に形成された前記電極とを圧電素子側面部を介して互いに電気的に接続する導通部が配置されており、前記導通部は、前記互いに導通される前記部分電極および前記電極がそれぞれ形成された電極平面部と前記圧電素子側面部とを含む前記圧電素子の体表面部に、常温では液状であり導電性粒子を含有した液状物を設けた後、当該液状物を常温より高い温度で乾燥固化させることにより前記導電性粒子を相互接触させて形成されることを特徴とする。
【手続補正４】
【補正対象書類名】明細書
【補正対象項目名】００１６
【補正方法】変更
【補正の内容】
【００１６】
ここで、第１発明によれば、補強板を介した２つの圧電素子の積層体の側面部を介して導通させることにより、２つの圧電素子の一方の側から配線を行えばよく、実装の方向を同一方向に揃えることができる。これにより、これら圧電素子の導通実装の作業が容易になるとともに、圧電素子に形成された電極を外部の回路基板などに導通させる導通実装構造を一方の圧電素子の側にのみ設ければよいことから、振動体全体の厚みを薄くできる。この一方の圧電素子の導通手段をリード基板に連設されるオーバーハング部とするような場合も、このリード基板およびオーバーハング部を圧電素子の一方の面側に設ければよいことから、薄型化できる。
さらに、圧電素子が補強板の両面に設けられることで安定的に振動するうえ、前述の導通部により、１つ１つの圧電素子における厚みが抑えられていることで振動体の厚みを表裏両方で薄くできるので、前述した効果を大きくできる。
【手続補正５】
【補正対象書類名】明細書
【補正対象項目名】００１７
【補正方法】変更
【補正の内容】
【００１７】
また、第２発明によれば、圧電素子の表面部および裏面部の一方の一部に、他方の側の電極と導通される部分電極が設けられているため、この部分電極と、一方の側の電極とについて、圧電素子の一方の側から配線を行えばよく、実装の方向を同一方向に揃えることができる。これにより、圧電素子の導通実装の作業が容易になるとともに、電極を外部の回路基板などに導通させる導通実装構造を一方の側にのみ設ければよいことから、圧電素子全体の厚みを薄くできる。この一方の側の導通手段をリード基板に連設されるオーバーハング部とするような場合も、このリード基板およびオーバーハング部を圧電素子の一方の側に設ければよいことから、薄型化できる。
【手続補正６】
【補正対象書類名】明細書
【補正対象項目名】００１９
【補正方法】変更
【補正の内容】
【００１９】
第１発明の振動体では、前記２つの圧電素子の間に介装される前記補強板は導電性の補強板であり、前記体表面部は、補強板側面部を含み、前記導通部と前記補強板側面部との間には、絶縁層が介装されていることが好ましい。
【手続補正７】
【補正対象書類名】明細書
【補正対象項目名】００２１
【補正方法】変更
【補正の内容】
【００２１】
第１発明の振動体では、前記絶縁層は、常温では液状である絶縁体を前記補強板側面部に設けた後、当該絶縁体を常温より高い温度で乾燥固化させることにより形成されていることが好ましい。
【手続補正８】
【補正対象書類名】明細書
【補正対象項目名】００２３
【補正方法】変更
【補正の内容】
【００２３】
第１発明の振動体では、前記補強板側面部には、前記積層方向と交差する方向に窪んだ凹部が形成されていることが好ましい。
【手続補正９】
【補正対象書類名】明細書
【補正対象項目名】００２６
【補正方法】変更
【補正の内容】
【００２６】
第１発明の振動体では、前記電極平面部と前記圧電素子側面部との間の角部には、断面略Ｌ字入隅（いりすみ）状の段差部が形成されていることが好ましい。
【手続補正１０】
【補正対象書類名】明細書
【補正対象項目名】００２８
【補正方法】変更
【補正の内容】
【００２８】
第１発明の振動体では、前記電極平面部と前記圧電素子側面部との間の角部は、前記圧電素子の厚み方向に対して斜めに面取りされていることが好ましい。
【手続補正１１】
【補正対象書類名】明細書
【補正対象項目名】００３０
【補正方法】変更
【補正の内容】
【００３０】
第１発明の振動体では、前記２つの圧電素子の間に介装される前記補強板は絶縁性の補強板であり、前記体表面部は、補強板側面部を含んでいることが好ましい。
【手続補正１２】
【補正対象書類名】明細書
【補正対象項目名】００３２
【補正方法】変更
【補正の内容】
【００３２】
本発明の振動体は、前記圧電素子において前記電極が形成される前記電極平面部と前記圧電素子を保持する前記補強板の表面部とに亘る前記振動体の体表面部には、前記電極を前記圧電素子の外部に電気的に接続する導通部が配置されており、前記導通部は、常温では液状であり導電性粒子を含有した液状物を前記体表面部に設けた後、当該液状物を常温より高い温度で乾燥固化させることにより前記導電性粒子を相互接触させて形成されていることを特徴とする。
【手続補正１３】
【補正対象書類名】明細書
【補正対象項目名】００３３
【補正方法】変更
【補正の内容】
【００３３】
本発明の圧電アクチュエータは、前述した振動体を備え、前記振動体の振動を被駆動体に伝達することにより当該被駆動体を駆動することを特徴とする。
この発明によれば、前述の振動体を備えたことにより、前述と同様の作用および効果を享受できる。
なお、圧電アクチュエータの駆動方式は問わず、振動により被駆動体を駆動するタイプ（超音波モータ）としては、例えば、振動の節および腹の位置が不変の定在波駆動方式や、節および腹の位置が遷移する進行波駆動方式等を適宜採用できる。また、圧電素子の分極方向および電圧印加の方向等も任意に構成できる。
なお、被駆動体としては、回転駆動されるロータ、直線駆動されるリニア被駆動体などを採用でき、被駆動体の駆動方向は任意に構成できる。
【手続補正１４】
【補正対象書類名】明細書
【補正対象項目名】００３４
【補正方法】変更
【補正の内容】
【００３４】
また、本発明の圧電アクチュエータは、第１発明の振動体を備え、前記振動体の振動を被駆動体に伝達することにより当該被駆動体を駆動する圧電アクチュエータであって、前記補強板の側面部には、前記被駆動体に向かって突出する突起が形成され、前記突起が形成された側とは反対側の前記補強板の側面部には、当該側面部と前記導通部との間に、絶縁性のモールド部材が設けられていることを特徴とする。
【手続補正１５】
【補正対象書類名】明細書
【補正対象項目名】００４０
【補正方法】変更
【補正の内容】
【００４０】
本発明の振動体の製造方法は、振動体を構成する略板状の２つの圧電素子に電極をそれぞれ形成する電極形成工程と、２つの前記圧電素子を補強板を介して積層し、前記圧電素子による積層体の積層方向両端側における積層体表面部と積層体裏面部とを、それぞれ前記電極が形成された電極平面部とする積層工程と、常温では液状であり導電性粒子を含有した液状物を、前記電極平面部の一方と前記各圧電素子それぞれの圧電素子側面部と前記電極平面部の他方とを含む前記積層体の体表面部に設けた後、当該液状物を常温より高い温度で乾燥固化させることにより前記導電性粒子を相互接触させて、前記各電極平面部における前記電極同士を電気的に接続する導通部を形成する導通部形成工程とを備えることを特徴とする。